(57)【特許請求の範囲】
【請求項１】
所定の記録媒体に記録されたビデオ信号を編集する編集装置において、
前記記録媒体に記録された第１及び第２のビデオ信号を再生するビデオ信号再生手段と、
前記第１及び第２のビデオ信号を合成して、所定の遷移期間、所定の遷移モードにより、前記第１のビデオ信号から前記第２のビデオ信号に遷移する合成ビデオ信号を生成するビデオ信号合成手段と、
前記合成ビデオ信号を前記記録媒体に記録するビデオ信号記録手段とを備え、
前記遷移期間についてのみ、前記合成ビデオ信号を前記記録媒体に記録する
ことを特徴とする編集装置。
【請求項２】
前記ビデオ信号再生手段は、
前記記録媒体より前記第１のビデオ信号を先読みして一時保持し、
該保持した前記第１のビデオ信号を、前記記録媒体より再生した前記第２のビデオ信号と共に、前記ビデオ信号合成手段に出力する
ことを特徴とする請求項１に記載の編集装置。
【請求項３】
前記第１のビデオ信号の一部分、前記遷移期間に相当する前記合成ビデオ信号、前記第２のビデオ信号の一部分を順次再生する編集リストを作成する
ことを特徴とする請求項１に記載の編集装置。
【請求項４】
所定の伝送路を介して前記編集リストを通信する
ことを特徴とする請求項３に記載の編集装置。
【請求項５】
前記所定の記録媒体が、前記第１のビデオ信号と前記第２のビデオ信号とを記録した光ディスクである
ことを特徴とする請求項４に記載の編集装置。
【請求項６】
前記所定の記録媒体が、前記第１のビデオ信号と前記第２のビデオ信号とを記録した光ディスク以外の記録媒体である
ことを特徴とする請求項４に記載の編集装置。
【請求項７】
ビデオ信号の信号レベルを徐々に変化させて、所定の遷移期間、所定のモードにより、前記ビデオ信号による映像が開始するように、又は終了するように、前記ビデオ信号再生手段より出力される前記ビデオ信号の信号レベルを補正する信号レベル補正手段を有し、
前記信号レベル補正手段の制御情報により前記ビデオ信号を編集する編集リストを作成する
ことを特徴とする請求項１に記載の編集装置。
【請求項８】
ビデオ信号の信号レベルを徐々に変化させて、所定の遷移期間、所定のモードにより、前記ビデオ信号による映像が開始するように、又は終了するように、前記ビデオ信号再生手段より出力される前記ビデオ信号の信号レベルを補正する信号レベル補正手段を有し、
前記信号レベル補正手段の制御情報により前記編集リストを作成する
ことを特徴とする請求項３に記載の編集装置。
【請求項９】
所定の記録媒体に記録された第１及び第２のビデオ信号を再生し、
前記第１及び第２のビデオ信号を合成して、所定の遷移期間、所定の遷移モードにより、前記第１のビデオ信号から前記第２のビデオ信号に遷移する合成ビデオ信号を生成し、
前記遷移期間についてのみ、前記合成ビデオ信号を前記記録媒体に記録する
ことを特徴とする編集方法。
【請求項１０】
前記記録媒体より前記第１のビデオ信号を先読みして一時保持し、
該保持した前記第１のビデオ信号を、前記記録媒体より再生した前記第２のビデオ信号と合成して前記合成ビデオ信号を生成する
ことを特徴とする請求項９に記載の編集方法。
【請求項１１】
前記第１のビデオ信号の一部分、前記遷移期間に相当する前記合成ビデオ信号、前記第２のビデオ信号の一部分を順次再生する編集リストを作成する
ことを特徴とする請求項９に記載の編集方法。
【請求項１２】
所定の伝送路を介して前記編集リストを通信する
ことを特徴とする請求項１１に記載の編集方法。
【請求項１３】
前記所定の記録媒体が、前記第１のビデオ信号と前記第２のビデオ信号とを記録した光ディスクである
ことを特徴とする請求項１２に記載の編集装置。
【請求項１４】
前記所定の記録媒体が、前記第１のビデオ信号と前記第２のビデオ信号とを記録した光ディスク以外の記録媒体である
ことを特徴とする請求項１２に記載の編集装置。
【請求項１５】
ビデオ信号の信号レベルを徐々に変化させて、所定の遷移期間、所定のモードにより、前記ビデオ信号による映像が開始するように、又は終了するように、前記記録媒体より再生したビデオ信号の信号レベルを補正し、
前記信号レベルの補正情報により前記ビデオ信号を編集する編集リストを作成する
ことを特徴とする請求項９に記載の編集方法。
【請求項１６】
ビデオ信号の信号レベルを徐々に変化させて、所定の遷移期間、所定のモードにより、前記ビデオ信号による映像が開始するように、又は終了するように、前記記録媒体より再生したビデオ信号の信号レベルを補正し、
前記信号レベルの補正情報により前記編集リストを作成する
ことを特徴とする請求項１１に記載の編集方法。
【発明の詳細な説明】
【０００１】
【発明の属する技術分野】
本発明は、編集装置及び編集方法に関し、例えば相変化型の光ディスクを用いて収録内容を編集する編集システムに適用することができる。本発明は、２つのビデオ信号を合成する編集処理については、この２つのビデオ信号を合成する遷移期間についてだけ合成したビデオ信号を光ディスクに記録することにより、簡易な構成で、短い時間により編集作業できるようにする。
【０００２】
【従来の技術】
従来、編集作業においては、必要に応じて特殊効果を付与してビデオ信号、オーディオ信号を繋ぎ合わせるようになされている。
【０００３】
すなわちこの種の特殊効果は、例えばワイプのように２つのビデオ信号を合成して第１及び第２のビデオ信号によるカットを繋ぎ合わせるものと、フェードアウト、フェードインの組み合わせにより第１及び第２のビデオ信号によるカットを繋ぎ合わせるものとがある。
【０００４】
このうちビデオ信号の合成による特殊効果は、編集対象でなるビデオ信号を２台のビデオテープレコーダにより再生しながら、ワイプ等の遷移のモードに応じてこれら２つのビデオ信号を合成し、この合成したビデオ信号を他のビデオテープレコーダにより記録するようになされていた。
【０００５】
また先行読み出しヘッドを有するビデオテープレコーダにおいては、繋ぎ合わせるカットを磁気テープに記録してビデオテープレコーダにセットし、先行読み出しのヘッドにより再生しながら、この再生したビデオ信号を他のビデオテープレコーダによるビデオ信号と合成して後行する記録ヘッドにより記録するようになされていた。
【０００６】
【発明が解決しようとする課題】
ところでこのように２つのビデオ信号を合成する特殊効果によりビデオ信号を編集する場合、先行読み出しヘッドを有するビデオテープレコーダを使用したとしても、２台のビデオテープレコーダが必要になる。これにより従来の編集装置においては、全体構成が煩雑になる問題があった。
【０００７】
また何れの場合でも、１台のビデオテープレコーダにより再生したビデオ信号を他のビデオテープレコーダにより記録し直すことが必要なことにより、編集を完成させるためには（いわゆる完パケの作成）、実時間必要になり、これにより編集作業に時間を要する問題があった。
【０００８】
因みに、時系列で並ぶ複数のカットを順次特殊効果により繋ぎ合わせる場合（いわゆるマルチエフェクトによる編集でなる）、全体を通してプレビューすることが困難で、それぞれのカットを特殊効果で繋ぎ合わせて確認しなければならず、これによりこのような場合にはさらに一段と編集に時間を要するようになる。
【０００９】
本発明は以上の点を考慮してなされたもので、簡易な構成で、短い時間により編集作業することができる編集装置及び編集方法を提案しようとするものである。
【００１０】
【課題を解決するための手段】
かかる課題を解決するため本発明においては、編集装置及び編集方法に適用して、光ディスクに記録された第１及び第２のビデオ信号を合成して、所定の遷移期間、所定の遷移モードにより、第１のビデオ信号から第２のビデオ信号に遷移する合成ビデオ信号を生成し、遷移期間についてのみ、この合成ビデオ信号を光ディスクに記録する。
【００１１】
所定の遷移期間、所定の遷移モードにより、第１のビデオ信号から第２のビデオ信号に遷移する合成ビデオ信号を生成し、遷移期間についてのみ、この合成ビデオ信号を光ディスクに記録すれば、この遷移期間の合成ビデオ信号を光ディスク１に記録するだけで、光ディスクより順次第１のビデオ信号、合成ビデオ信号、第２のビデオ信号を再生して、編集結果を得ることができる。これにより第１及び第２のビデオ信号、合成ビデオ信号を再生するビデオ信号再生手段と、ビデオ信号を合成するビデオ信号合成手段と、合成ビデオ信号を記録するビデオ信号記録手段とを備えるだけの簡易な構成により、また合成ビデオ信号を光ディスクに記録するだけの短い時間によりビデオ信号を編集することができる。
【００１２】
【発明の実施の形態】
以下、適宜図面を参照しながら本発明の実施の形態を詳述する。
【００１３】
（１）第１の実施の形態
（１−１）第１の実施の形態の構成
図２は、第１の実施の形態に係る編集システムに適用される光ディスク１を示す平面図である。この光ディスク１は、所定のカートリッジ１Ａに収納して保持され、これにより塵等の進入を低減できるようになされている。さらに光ディスク１は、テレビジョンカメラ、光ディスク装置等の機器に装填されると、このカートリッジ１Ａに配置されたシャッターがスライドして情報記録面が露出するように形成され、これによりテレビジョンカメラ、光ディスク装置等によりアクセスできるようになされている。
【００１４】
この光ディスク１は、両面に情報記録面を形成した、書き換え可能ないわゆる相変化型の光ディスクでなり、レーザービームのガイド溝を担うプリグルーブが蛇行して形成され、レーザービーム照射位置におけるこのプリグルーブの蛇行周期が一定周期になるように回転駆動して、ＺＣＬＶ（Zone Constant Linear Verocity)線速度一定の条件により光ディスク１を回転駆動できるようになされている。
【００１５】
この光ディスク１は、内周側に、システムデータ領域ＡＲＳが形成される。ここでシステムデータ領域ＡＲＳは、同心円状に３つの領域ＡＲＳＡ、ＡＲＳＢ、ＡＲＳＣに分割され、最内周の領域ＡＲＳＡに、この光ディスクの製造時に記録された管理用データが記録される。ここでこの管理用データは、光ディスク１へのデータ記録時における最適光量、光ディスク１で共通のシリアル番号、光ディスク１にそれぞれ割り当てられた固有の識別データ等により構成される。
【００１６】
続く外周側の領域ＡＲＳＢには、光ディスク１に記録したビデオ信号及びオーディオ信号の管理用データが記録される。ここで管理用データは、各ビデオ信号及びオーディオ信号のアクセスに必要なデータ、復号に必要なデータ、撮像時の条件のデータ、カメラマンにより設定される編集可能ファイルか否かの識別データ等により構成される。
【００１７】
このうちアクセスに必要なデータは、ビデオ信号及びオーディオ信号による各ファイルの記録開始位置、記録終了位置でなるアドレス情報、記録開始時点及び記録終了時点のタイムコード等により構成される。また復号に必要なデータは、ビデオ信号及びオーディオ信号のフォーマット、オーディオ信号のサンプリングレート、圧縮／非圧縮の識別データ等により構成される。撮像時の条件のデータは、撮像した日時、場所、カメラマンの名前、テレビジョンカメラのセッティングデータにより構成され、セッティングデータは、テレビジョンカメラに設定されたホワイトバランス、利得、オーディオ信号のレベル設定、絞りのデータ等が記録される。これにより光ディスク１では、この領域ＡＲＳＢに記録された管理用データにより、光ディスク１に記録された各ファイルの履歴等を確認できるようになされている。
【００１８】
続く外周側の領域ＡＲＳＣは、編集用のデータが記録される。ここでこの編集用のデータは、ファイル形式により記録され、この光ディスク１に記録された各ファイルを編集する編集リストが記録される。なおこの編集リストは、各ファイルについて設定された編集点のデータが、タイムコード及びアドレスにより、遷移のモード、遷移期間等と共に、再生順序に記録されて形成される。これにより光ディスク１は、所望の編集リストを選択して、この選択した編集リストに従って記録した取材内容を順次再生できるようになされている。
【００１９】
これに対して外周側の領域ＡＲＵは、ユーザー領域に割り当てられ、ディジタルビデオ信号及びディジタルオーディオ信号が記録される。ここでユーザー領域ＡＲＵは、同心円状に小領域ＡＲＵ１、ＡＲＵ２、……に分割される。さらに各小領域ＡＲＵ１、ＡＲＵ２、……は、同心円状に５つの領域に分割され、これら５つの領域の最外周の領域がディジタルビデオ信号Ｖ１の記録領域に割り当てられ、内周側の各領域が、それぞれ４チャンネルのディジタルオーディオ信号Ａ１〜Ａ４の記録領域に割り当てられる。これによりこの光ディスク１では、例えば被写体を撮像する際の被写体及び周囲の音声（以下環境音と呼ぶ）、アナウンサーによる解説の音声、種々の言語による解説の音声、バックグラウンドミュージック等を、ディジタルビデオ信号に対応して記録できるようになされている。
【００２０】
図１は、この編集システムに適用される光ディスク装置を示すブロック図である。この光ディスク装置２は、テレビジョンカメラによりビデオ信号及びオーディオ信号を記録した光ディスク１、この光ディスク装置２によりビデオ信号及びオーディオ信号を記録した光ディスク１等について、この光ディスク１に記録されたビデオ信号及びオーディオ信号を編集する。
【００２１】
すなわちこの光ディスク装置２において、光ピックアップ３は、図示しないスレッド機構により光ディスク１の半径方向に可動し、これにより光ディスク１の所望の領域をアクセスできるようになされている。また光ピックアップ３は、光ディスク１にレーザービームを照射し、その戻り光の受光結果よりトラッキング制御、フォーカス制御され、さらに戻り光の光量に応じて信号レベルが変化する再生信号を生成して出力する。
【００２２】
また光ピックアップ３は、レーザービームの光量に応じて信号レベルが変化するレーザービーム光量のモニタ信号を出力し、このモニタ信号の信号レベルを基準にしたサーボ回路の制御により、チャンネルコーディング回路４より出力される駆動信号ＳＲ等に応じて、再生時の光量からピット形成の最適光量にレーザービームの光量を間欠的に立ち上げる。これにより光ディスク装置２は、光ディスク１に所望のデータを熱記録する。
【００２３】
このデータ記録の際に、光ピックアップ３は、ユーザー領域ＡＲＵの各領域を順次循環的にシークし、かつ各領域においては外周側より順次内周側に変位してディジタルビデオ信号及びディジタルオーディオ信号を光ディスク１に熱記録する。これにより光ディスク装置２では、光ディスク１をＺＣＬＶの条件により回転駆動した際に、高転送レートによりデータ再生することができる外周側領域より、順次ディジタルビデオ信号及びディジタルオーディオ信号を光ディスク１に記録するようになされている。
【００２４】
また光ピックアップ３は、光ディスク１に記録されたビデオ信号及びオーディオ信号の再生時、システム制御回路１５の制御により、記録時と同様に、ユーザー領域ＡＲＵの各領域を順次循環的にシークする。さらに２つのビデオ信号を合成する特殊効果によるプレビュー時、この処理対象でなる２つのビデオ信号のうちの１のビデオ信号が記録された領域を事前にアクセスした後、残るビデオ信号が記録された領域をアクセスする。
【００２５】
スピンドルモータ５は、図示しないサーボ回路の制御により、記録時、ＺＣＬＶの条件により光ディスク１を回転駆動し、再生時、記録時の最高回転速度より高速度の角速度一定の条件により光ディスク１を回転駆動する。これにより光ディスク装置２では、再生時、高転送速度により得られる再生信号を間欠的に処理して連続したビデオ信号及びオーディオ信号を再生できるようになされ、また間欠的に処理して発生する待ち時間を利用して光ピックアップ３をシークさせることができるようになされている。
【００２６】
ビデオプロセス回路６は、ディジタルビデオ信号ＳＶを受け、このディジタルビデオ信号ＳＶの信号レベルを補正し、またブランキング期間等の不要なデータを除去して出力する。
【００２７】
データ圧縮回路７は、このビデオプロセス回路６より出力されるディジタルビデオ信号をＭＰＥＧ（Moving Picture Experts Group）に規定のフォーマットにより順次データ圧縮し、符号化データＤＶを出力する。このときデータ圧縮回路７は、例えばデータ圧縮単位でなるＧＯＰ（Group Of Pictures ）を単位にして、符号化データＤＶが一定データ量になるように、ディジタルビデオ信号をデータ圧縮する。またデータ圧縮回路７は、特殊効果によるビデオ信号の記録時、ビデオプロセス回路６より出力されるディジタルビデオ信号に代えて、エフェクター８より出力されるディジタルビデオ信号を同様に処理して出力する。
【００２８】
メモリ９は、大容量のバッファメモリでなり、メモリ制御回路１０のアドレス制御により、データ圧縮回路７より出力される符号化データＤＶ、図示しないオーディオデータ処理回路より出力されるオーディオデータを順次取り込んで一時保持する。さらにメモリ９は、符号化データＤＶ、オーディオデータを所定の時間間隔で区切って順次ブロック化し、これらブロック単位で符号化データＤＶ、オーディオデータを時分割多重化して出力する。ここでこの時間間隔は、符号化データＤＶの複数ＧＯＰに対応する期間に設定される。このときメモリ９は、光ピックアップ３のシークに充分な時間間隔を間に挟んで、これら符号化データＤＶ、オーディオデータを順次時分割多重化する。
【００２９】
ＥＣＣエンコーダ１３は、この時分割多重化されたデータに誤り訂正符号、タイムコード等を付加した後、インターリーブ処理して出力する。このときＥＣＣエンコーダ１３は、符号化データＤＶについては１ＧＯＰを、オーディオデータについては、この１ＧＯＰに対応するデータ量を誤り訂正処理単位でなるＥＣＣデータブロックに設定し、各ＥＣＣデータブロックに、それぞれ積符号形式の誤り訂正符号を付加する。
【００３０】
チャンネルコーディング回路４は、光ディスク１の記録に適した変調方式により、このＥＣＣエンコーダ１３の出力データを変調する。さらにチャンネルコーディング回路４は、この変調により得られる変調データをシリアルデータに変換して駆動信号ＳＲを生成し、選択回路１４を介してこの駆動信号ＳＲを光ピックアップ３に出力する。これらにより光ディスク装置２では、所定の時間間隔を間に挟んで、符号化データＤＶによる駆動信号ＳＲ、オーディオデータによる駆動信号ＳＲが順次交互に出力され、この駆動信号ＳＲの出力に対応して光ピックアップ３をシークさせて、光ディスク１の対応する領域を交互にアクセスすることにより、図２について上述したフォーマットに従ってビデオ信号ＳＶ及びオーディオ信号を順次光ディスク１に記録するようになされている。
【００３１】
このようにしてビデオ信号及びオーディオ信号を記録する記録系においては、特殊効果によるビデオ信号の記録時、オーディオ信号については処理を中止し、これによりデータ圧縮回路７により生成された符号化データだけをシステム制御回路１５より指定される領域に記録する。
【００３２】
これに対して再生系においては、選択回路１４を介して、光ピックアップ３より出力される再生信号ＲＦを図示しない再生信号処理回路に入力する。ここで再生信号処理回路は、この再生信号ＲＦよりクロックを再生し、このクロックを基準にして再生信号ＲＦをアナログディジタル変換処理してディジタル再生信号を生成する。さらに再生系は、ＰＲＭＬ（Partial Response Maximum Likelihood ）の手法を適用してこのディジタル再生信号を処理し、チャンネルコーディング回路４より出力される駆動信号ＳＲに対応する再生データを生成する。ここで再生時においては、記録時の最高速度より高速度の回転速度により光ディスク１が回転駆動されることにより、再生系では、この光ディスク１の回転速度に対応する高転送速度の再生信号ＲＦが光ピックアップ３より出力され、この再生信号ＲＦに対応する高転送速度の再生データが得られることになる。
【００３３】
チャンネルデコーディング回路２０は、この再生データよりＥＣＣエンコーダ１３の出力データを復号して出力する。ＥＣＣデコーダ２１は、チャンネルデコーディング回路２０の出力データを誤り訂正処理し、またデインターリーブ処理して出力する。この実施の形態では、光ピックアップ３が所定の時間間隔により順次シークすることにより、ＥＣＣデコーダ２１は、符号化データＤＶによるＥＣＣデータブロックと、オーディオデータによるＥＣＣデータブロックとを、この光ピックアップ３のアクセスに対応して、所定ブロック単位で交互に誤り訂正処理して出力することになる。またこのとき光ディスク１の回転速度に対応した高転送速度により出力することになる。
【００３４】
メモリ２２は、大容量のバッファメモリでなり、メモリ制御回路２３のアドレス制御により、ＥＣＣデコーダ２１より出力される符号化データＤＶ、オーディオデータを間欠的に取り込んで一時保持する。さらにメモリ２２は、取り込んだ符号化データＤＶ、オーディオデータを時間軸伸長し、それぞれ連続する時系列により出力する。また所定の特殊効果によるプレビュー時、特殊効果によるビデオ信号の記録時、メモリ２２は、光ピックアップ３の先行したアクセスにより一方のビデオ信号による符号化データをデータ伸長回路２４Ａに出力すると共に、他方のビデオ信号による符号化データをデータ伸長回路２４Ｂに出力する。
【００３５】
データ伸長回路２４Ｂは、通常の再生時、メモリ制御回路２３を介して入力される符号化データをデータ伸長し、これによりビデオデータを出力する。これに対してデータ伸長回路２４Ｂは、所定の特殊効果によるプレビュー時、特殊効果によるビデオ信号の記録時、メモリ２２より出力される他方のビデオ信号による符号化データをメモリ制御回路２３を介して受け、この符号化データをデータ伸長してビデオデータを出力する。
【００３６】
データ伸長回路２４Ａは、所定の特殊効果によるプレビュー時、特殊効果によるビデオ信号の記録時、動作を立ち上げ、メモリ２２より出力される一方のビデオ信号による符号化データをデータ伸長してビデオデータを出力する。
【００３７】
エフェクター８は、通常の再生時、データ伸長回路２４Ｂより出力されるビデオデータをそのまま出力する。これに対して所定の特殊効果によるプレビュー時、特殊効果によるビデオ信号の記録時、この特殊効果の遷移モードに応じて、システム制御回路１５の制御により、データ伸長回路２４Ａ、２４Ｂより出力されるビデオデータを所定の重み付け係数による重み付け加算して出力する。
【００３８】
すなわち遷移モードがワイプの場合、エフェクター８は、例えば水平同期期間の所定のタイミングで、データ伸長回路２４Ａより出力される第１のビデオデータからデータ伸長回路２４Ｂより出力される第２のビデオデータに、出力のビデオデータが切り換わるようにこの重み付け係数を切り換え、またこの切り換わりのタイミングが徐々に変化するように、重み付け係数を切り換えるタイミングを変化させる。
【００３９】
この実施の形態において、特殊効果によるビデオ信号の記録時、このエフェクター８は、処理結果でなるビデオデータをデータ圧縮回路７に出力し、これによりこのような処理結果を光ディスク１の所定領域に記録するようになされている。
【００４０】
ビデオプロセス回路２６は、このエフェクター８より出力されるビデオデータの信号レベルを補正し、ブランキング期間等のデータを補って出力する。これによりビデオプロセス回路２６は、光ディスク１より再生したビデオ信号ＳＶを出力する。また所定の特殊効果によるプレビュー時、特殊効果によるビデオ信号の記録時、処理結果を出力する。
【００４１】
これに対して例えばフェードイン、フェードアウト等の、１つのビデオ信号の信号レベルを変化させる特殊効果においては、システム制御回路１５の制御により、ビデオデータの補正レベルを可変し、これによるこの種の特殊効果を付与してなるビデオ信号ＳＶを出力する。
【００４２】
図示しないオーディオデータの再生系は、メモリ制御回路２３より出力されるオーディオデータを処理してアナログ信号に変換して出力する。これにより光ディスク装置２では、光ディスク１に記録された内容をモニタし、必要に応じて出力できるようになされている。
【００４３】
システム制御回路１５は、この光ディスク装置２の動作を制御するマイクロコンピュータにより構成され、光ディスク１が装填されると、又は電源が立ち上げられると、サーボ回路を制御して光ピックアップ３を光ディスク１の内周側にシークさせ、光ディスク１のシステムデータ領域ＡＲＳに記録された管理用データ１６を取得する。
【００４４】
システム制御回路１５は、オペレータの操作に応動して、また外部機器でなるコンピュータ等の制御により、上述した記録系の動作を制御し、これにより順次入力されるビデオ信号ＳＶ、オーディオ信号を光ディスク１に記録する。このときシステム制御回路１５は、取得した管理用データ１６により光ディスク１の空き領域等を検出し、この検出結果に基づいて光ピックアップ３のアクセスを制御する。
【００４５】
またメモリ９から時分割多重化により出力される符号化データ及びオーディオデータを図２について上述した各領域に記録するように、この時分割多重化に対応するタイミングにより光ピックアップ３をシークさせると共に、スピンドルモータ５の回転速度を切り換え、これにより符号化データ及びオーディオデータを対応する領域に記録する。
【００４６】
またシステム制御回路１５は、光ディスク１へのビデオ信号、オーディオ信号の記録が完了すると、このビデオ信号及びオーディオ信号の記録開始位置、記録終了位置を示すアドレス、記録開始時、記録終了時のタイムコード等により管理用データを生成し、この管理用データを光ディスク１より取得した管理用データ１６に追加する。このときシステム制御回路１５は、撮像時の条件のデータ、オーディオデータのサンプリングレート、圧縮／非圧縮の識別データ、ディジタルビデオ信号ＳＶのフォーマット等を付加して管理用データを生成する。
【００４７】
さらにシステム制御回路１５は、このようにして更新した管理用データ１６が光ディスク１のシステムデータ領域ＡＲＳの管理用データと一致するように、所定のタイミングで光ピックアップ３をシステムデータ領域ＡＲＳにシークさせ、システムデータ領域ＡＲＳを更新する。
【００４８】
またシステム制御回路１５は、オペレータの指定によりビデオ信号及びオーディオ信号を再生する場合、光ディスク１より取得した管理用データ１６を基準にして光ピックアップ３を順次循環的にシークさせると共に、再生系の動作を制御し、これによりオペレータの所望するビデオ信号及びオーディオ信号を再生する。
【００４９】
このビデオ信号及びオーディオ信号の再生において、オペレータが編集点を設定すると、システム制御回路１５は、この編集点の設定により編集リスト３０を作成し、また編集リスト３０の変更を受け付ける。またオペレータがプレビューの操作を実行すると、この編集リスト３０に従って光ピックアップ３をシークさせると共にこの再生系の動作を制御し、これにより編集リスト３０に従って光ディスク１を再生して編集結果を出力する。
【００５０】
すなわち図３に示すように、光ディスク１上に記録されてなるビデオ信号による素材Ａ、Ｂ、Ｃ、Ｄ（図３（Ａ））を順次オペレータがモニタして、例えば素材Ａ、Ｂ、Ｄにそれぞれイン点ＩＮ１〜ＩＮ３、アウト点ＯＵＴ１〜ＯＵＴ３を設定してカットａ、ｂ、ｄが選択されると（図３（Ｂ））、システム制御回路１５は、素材Ａのイン点ＩＮ１からアウト点ＯＵＴ１まで（カットａ）、素材Ｂのイン点ＩＮ２からアウト点ＯＵＴ２まで（カットｂ）、素材Ｄのイン点ＩＮ３からアウト点ＯＵＴ３まで（カットｄ）を順次指定する編集リスト３０を作成する。さらにプレビューが指示されると、この編集リスト３０に従って、カットａ、ｂ、ｄを順次再生するように、光ピックアップ３をアクセス制御し（図３（Ｃ））、これにより素材Ａ、Ｂ、Ｃ、Ｄには何ら変更を加えることなく、また編集結果を光ディスク１に記録することなく、カット編集による編集結果を出力する。
【００５１】
またこの編集結果に対して、オペレータが別途カットｅを指定し、このカットｅをカットｂ及びｄ間に挿入するインサート編集を指示した場合、システム制御回路１５は編集リスト３０の配列を変更し、またこの変更した編集リスト３０に従ってプレビューの処理を実行し、これによりこの場合も何ら素材に変更を加えることなく、また編集結果を光ディスク１に記録することなく、インサート編集の編集結果を出力する（図３（Ｄ）及び（Ｅ））。
【００５２】
また同様にして、オペレータがカットａ、ｂ、ｄによる編集結果の上で編集点を指定してカットｅのオーバーレイ編集を指示した場合（図３（Ｅ）及び（Ｆ））、この図３の場合は、編集点の設定に対応する新たなカットｂ’、ｄ’を生成するようにカットｂのアウト点、カットｄのイン点を変更し、またカットａ、ｂ’、ｅ、ｄ’を順次再生するように編集リスト３０を変更する。またこの変更した編集リスト３０に従ってプレビューの処理を実行し、これによりこの場合も何ら素材に変更を加えることなく、また編集結果を光ディスク１に記録することなく、オーバーレイ編集の編集結果を出力する。
【００５３】
これに対してこのようにして編集リスト３０を作成する際に、オペレータが特殊効果による遷移モードを選択し、この特殊効果による遷移モードが光ディスク１に記録された２つのビデオ信号を合成する遷移モードの場合、システム制御回路１５は、これら２つのビデオ信号のうちの一方のビデオ信号について、遷移期間の符号化データを先読みしてメモリ２２に保持する。なおここで遷移期間は、この種の編集において、編集結果が一方のビデオ信号から他方のビデオ信号に遷移する期間であり、特殊効果の開始から終了までの期間である。
【００５４】
すなわち図４に示すように、光ディスク１上に記録されてなるビデオ信号による素材Ａ、Ｂ、Ｃ、Ｄ（図４（Ａ））を順次オペレータがモニタして、例えば素材Ａ、Ｂ、Ｄよりカットａ、ｂ、ｄが選択され、これらカットａ、ｂ、ｄを例えばワイプにより繋ぎ合わす場合（図４（Ｂ））、オペレータに指定した遷移期間Ｔの符号化データを光ディスク１より再生してメモリ２２に保持する（図４（Ｃ））。なおシステム制御回路１５は、この場合、先行して再生するビデオ信号について、符号化データを光ディスク１より再生してメモリ２２に格納する。またシステム制御回路１５は、この遷移期間の開始時点（イン点）と遷移期間の長さにより、又は遷移期間の長さと遷移期間の終了時点（アウト点）によりこれら遷移期間の設定を受け付け、この受け付けが完了すると、オペレータが続く操作を実行するまでの短い時間でこれら符号化データをメモリ２２に格納する。
【００５５】
このようにメモリ２２に遷移期間の一方の符号化データを保持した状態で、オペレータよりプレビューが指示されると、システム制御回路１５は、合成対象でなる２つのビデオ信号の他方のビデオ信号による符号化データを、前後に配置するビデオ信号による符号化データと共に順次再生するように、光ピックアップ３、再生系の動作を制御する（図４（Ｄ））。これによりこの実施の形態では、第１のカットａが遷移開始の時点ｔ１まで連続した後、続いて第２のカットｂが第２の遷移開始の時点ｔ２まで連続し、続いて第３のカットｄが連続してなるビデオデータＤＭ２を光ディスク１より再生してエフェクター８に供給する。
【００５６】
またシステム制御回路１５は、メモリ制御回路２３の制御により、このビデオデータＤＭ２の出力に対応したタイミングにより、先読みしてメモリ２２に保持した符号化データをデータ伸長回路２４Ａに供給し、これにより各遷移開始の時点ｔ１及びｔ２より、このメモリ２２に保持してなる符号化データのビデオデータＤＭ１をエフェクター８に供給する。
【００５７】
システム制御回路１５は、遷移期間Ｔ以外の期間においては、データ伸長回路２４Ｂより入力されるビデオデータＤＭ２をそのまま出力するように、エフェクター８の動作を設定する。これに対して遷移期間Ｔにおいては、ビデオデータＤＭ１及びＤＭ２を重み付け加算し、この重み付け加算の係数を遷移モードに応じて切り換える。すなわち水平方向に画面の境界が変化して徐々にカットａからカットｂに切り換えるワイプにおいては、それぞれビデオデータＤＭ１及びＤＭ２について値０及び値１に設定してなる重み付け係数を、水平走査方向の所定の時点で値１及び値０に切り換え、この切り換えの時点を順次変化させる。これによりシステム制御回路１５は、この場合も何ら素材に変更を加えることなく、オペレータの所望したプレビューのビデオ信号ＳＶを生成する（図４（Ｅ））。
【００５８】
このプレビューにおいて、オペレータが遷移期間、遷移モード等を変更すると、システム制御回路１５は、これらの変更に応じてメモリ２２に保持した符号化データを更新し、必要に応じてこの更新した内容によりプレビューの処理を実行する。
【００５９】
またプレビューの結果によりオペレータが遷移期間、遷移モードの確定を指示すると、システム制御回路１５は、先読みしてメモリ２２に保持した一方の符号化データと、プレビュー時の再生によりメモリ２２に一時格納した他方の符号化データとにより、遷移期間Ｔについて、プレビューと同様にビデオデータの合成をエフェクター８等に指示し、その結果エフェクター８より得られるビデオデータを記録するように記録系の動作を制御する。すなわちシステム制御回路１５は、エフェクター８より得られるビデオデータをデータ圧縮回路７によりデータ圧縮して符号化データを生成し、通常のビデオ信号の記録時と同様にして、この符号化データを光ディスク１に記録する。このときシステム制御回路１５は、遷移期間Ｔのビデオデータについてだけ光ディスク１に記録するように、記録系の動作を制御する（図４（Ｆ））。
【００６０】
この一連の処理と同時並列的に、システム制御回路１５は、オペレータの設定した遷移期間、遷移モードを記述してなる編集リスト３０を作成する。さらにシステム制御回路１５は、この遷移期間、遷移モードに対応付けて、光ディスク１に記録した遷移期間のカットＸ１、Ｘ２を指示する項目を編集リストに記述し、この記述については通常はオペレータにより不可視に設定する。また遷移期間のカットＸ１、Ｘ２が編集リストに対応する旨が記録された、カットＸ１、Ｘ２の管理用データを生成する。
【００６１】
なお、例えばアニメーション等においては、同一の特殊効果により同一のカットを繋ぎ合わせる場合が多々ある。これによりシステム制御回路１５は、オペレータが選択したカット、遷移モード、遷移期間により、例えばカットＸ１、Ｘ２と同一のカットを他の編集で繰り返し使用する場合、新たにカットＸ１、Ｘ２と同一のカットを作成して光ディスク１に記録することなく、この光ディスク１に既に記録されたカットＸ１、Ｘ２を繰り返し使用してプレビューの処理を実行し、またこの光ディスク１に既に記録されたカットＸ１、Ｘ２を繰り返し使用するように編集リスト３０を作成する。これによってもシステム制御回路１５は、光ディスク１の情報記録面を有効に利用して、編集に要する時間を短縮するようになされている。
【００６２】
このようにして特殊効果による設定が完了してオペレータがレビューを指示すると、システム制御回路１５は、編集リストに従ってカット編集の場合と同様に光ディスク１を再生する（図４（Ｇ））。このときカットＸ１及びＸ２については、オペレータに対して不可視に設定された記述に従ってカットＸ１及びＸ２をアクセスする。これによりシステム制御回路１５は、この場合も何ら素材に変更を加えることなく、また遷移期間のカットのみ光ディスク１に記録して、特殊効果により編集結果を出力する。
【００６３】
これに対してフェードイン、フェードアウト等の、ビデオ信号の信号レベルを徐々に変化させて、所定の遷移期間、所定のモードにより、ビデオ信号による映像を開始させる特殊効果、又はビデオ信号による映像を終了させる特殊効果をオペレータが選択した場合、システム制御回路１５は、カット編集の場合と同様に、連続するカットを光ディスク１より再生する。さらにビデオプロセス回路２６の設定により、例えばフェードアウトの場合、遷移開始の時点より順次ビデオ信号の輝度レベルを立ち上げて、オペレータの所望する効果を付与する。
【００６４】
このようにしてプレビューしてオペレータより遷移期間、遷移モードの確定が指示されると、システム制御回路１５は、オペレータの設定した遷移期間、遷移モードを記述してなる編集リスト３０を作成し、さらにレビューの場合は、この編集リスト３０に従って光ディスク１よりビデオ信号を再生し、ビデオプロセス回路２６により処理して出力する。これによりシステム制御回路１５は、この場合も何ら素材に変更を加えることなく、また編集結果を光ディスク１に記録することなく、特殊効果により編集結果を出力する。
【００６５】
このようにして一連の編集作業が終了して編集リスト３０が確定すると、システム制御回路１５は、この編集リスト３０、対応する管理用データを光ディスク１のシステムデータ領域ＡＲＳに記録する。
【００６６】
（１−２）第１の実施の形態の動作
以上の構成において、光ディスク装置２においては（図１）、光ディスク１が装填されると、光ピックアップ３が光ディスク１の内周側にシークし、内周側のシステムデータ領域ＡＲＳに記録された管理用データ１６がシステム制御回路１５に取得される。これによりシステム制御回路１５において、光ディスク１の記録可能領域が検出される。
【００６７】
光ディスク装置２においては、例えばカメラユニットで撮像されたビデオ信号ＳＶが、ビデオプロセス回路６により所定の処理を受け、続くデータ圧縮回路７によりＭＰＥＧの手法によりデータ圧縮処理されて符号化データＤＶに変換され、この符号化データＤＶが順次メモリ９に蓄積される。またビデオ信号ＳＶに対応するオーディオ信号が、オーディオデータに変換されて順次メモリ９に蓄積される。
【００６８】
このようにしてメモリ９に一時蓄積された符号化データＤＶ、オーディオデータは、ＧＯＰを単位にした所定の時間間隔毎にブロック化されて時間軸圧縮され、この時間軸圧縮されたこれら符号化データＤＶ、オーディオデータが、光ピックアップ３のシークに要する時間間隔を間に挟んで、順次時分割多重化されてＥＣＣエンコーダ１３に出力される。さらにＥＣＣエンコーダ１３において、ＥＣＣデータブロック単位で誤り訂正符号が付加された後、チャンネルコーディング回路４により光ピックアップ３の駆動信号ＳＲに変換される。さらにこの駆動信号ＳＲにより光ピックアップ３から射出されるレーザービームの光量が再生時の光量から間欠的に立ち上げられ、これによりビデオ信号ＳＶ、対応するオーディオ信号が光ディスク１の所定の領域（図２）に順次交互に記録される。
【００６９】
このとき光ディスク１の外周側より（図１）、光ピックアップ３がシークすることにより、またこの光ピックアップ３のシークに対応して光ディスク１がＺＣＬＶにより回転駆動されることにより、これら符号化データＤＶ、オーディオデータが、それぞれ対応する領域に順次循環的に記録される。
【００７０】
このようにして光ディスク１への符号化データＤＶ、オーディオデータの記録が完了すると、光ディスク装置２は、システム制御回路１５により管理用データ１６が生成され、この管理用データ１６が光ディスク１のシステムデータ領域ＡＲＳに記録される。これにより光ディスク１に記録した素材について、履歴等の管理用データ１６についても、同一の光ディスク１に記録され、これら素材の管理が簡略化される。
【００７１】
このようにして光ディスク１への素材の記録が完了すると、光ディスク１は、この光ディスク装置２により編集される（図３）。さらに必要に応じて編集結果が出力される。
【００７２】
すなわち光ディスク装置２においては（図３）、光ディスク１が装填されると、光ピックアップ３が光ディスク１の内周側にシークし、内周側のシステムデータ領域ＡＲＳに記録された管理用データ１６がシステム制御回路１５に取得され、これによりシステム制御回路１５において、光ディスク１に記録された符号化データＤＶ、オーディオデータの記録位置情報、履歴等が取得される。
【００７３】
この履歴によりオペレータが所望のビデオ信号、オーディオ信号の再生を指示すると、光ディスク装置２では、角速度一定の条件により高速度で光ディスク１が回転駆動された状態で、光ピックアップ３が対応する領域にシークし、オペレータの所望する領域より記録時に比して高転送速度の再生信号ＲＦが再生される。さらにこの再生信号ＲＦが再生データに変換され、この再生データより符号化データ、オーディオデータが復号されてメモリ２２に格納される。
【００７４】
このメモリ２２に所定量だけ符号化データ又はオーディオデータが蓄積されると、光ピックアップ３がシークし、このメモリ２２に蓄積したデータに対応するオーディオデータ又は符号化データが、同様にして光ディスク１より再生されてメモリ２２に蓄積される。
【００７５】
この符号化データ、オーディオデータの再生が、交互に繰り返されて、光ディスク装置２では、間欠的にかつ高転送速度により、オペレータの選択した符号化データ、オーディオデータが光ディスク１より再生されて、メモリ２２に蓄積される。
【００７６】
このような符号化データ、オーディオデータの蓄積と同時並列的にして、光ディスク装置２では、メモリ２２に蓄積された符号化データが連続するデータ列により、データ伸長回路２４Ａに出力されてデータ伸長された後、エフェクター８、ビデオプロセス回路２６を介して出力される。またこのビデオ信号の処理と同時並列的にメモリ２２より連続するビデオデータが出力され、所定のモニタに出力される。
【００７７】
これによりオペレータにおいて、再生されたビデオ信号ＳＶ及びオーディオ信号により編集点が順次設定され、この編集点による編集リスト３０がシステム制御回路１５により作成される。
【００７８】
この編集作業によりオペレータが指定した遷移モードがカット編集による遷移モードの場合（図３）、光ディスク装置２においては、例えばオペレータが素材Ａ、Ｂ、Ｃ、Ｄのうち、イン点ＩＮ１、ＩＮ２、ＩＮ３、アウト点ＯＵＴ１、ＯＵＴ２、ＯＵＴ３を設定して選択したカットａ、ｂ、ｄを順次再生するように（図３（Ａ）〜（Ｃ））、これらイン点ＩＮ１、ＩＮ２、ＩＮ３、対応するアウト点ＯＵＴ１、ＯＵＴ２、ＯＵＴ３が連続してなる編集リスト３０が作成される。
【００７９】
さらにオペレータがプレビューを指示すると、この編集リスト３０に従った順序でシステム制御回路１５により光ピックアップ３がアクセス制御され、これにより通常の再生時と同様に、光ピックアップ３より高転送速度により得られる再生信号ＲＦが処理されてプレビュー結果が出力される。さらにこのプレビュー結果より編集点の変更等を受け付け、編集リスト３０が確定すると、システム制御回路１５の制御によりこの編集リスト３０が光ディスク１のシステムデータ領域ＡＲＳに記録される。
【００８０】
これにより光ディスク１に記録された素材Ａ、Ｂ、Ｃ、Ｄには何ら変更を加えることなく、カット編集による編集結果を出力することができ、必要に応じてこの貴重な素材を後日改めて利用することができる。また単に編集リストを作成するだけでいちいち編集結果を光ディスク１に記録することなく、編集結果を出力できることにより、その分簡易かつ短時間で編集作業を実行することができる。
【００８１】
また編集点の変更において、例えばカットｂ及びカットｄ間に、別途カットｅを挿入するインサート編集、このようにして作成したカットａ〜ｄの編集結果に所望のカットｅを被せるオーバーレイ編集にあっても、単に編集リストを変更するだけの処理により、何ら素材に変更を加えることなく、また編集結果を光ディスク１に記録することなく編集結果を出力することができ（図３（Ｄ）〜（Ｆ））、これらの場合にも貴重な素材を損なうことなく、簡易かつ短時間で編集作業を実行することができる。
【００８２】
これに対してオペレータが２つのビデオ信号を合成する特殊効果による遷移モードを選択した場合、光ディスク装置２では、遷移期間Ｔについて、この２つのビデオ信号のうちの、一方のビデオ信号が光ピックアップ３により先読みされ、メモリ２２に格納される。
【００８３】
すなわち例えばオペレータがイン点、アウト点を順次設定して素材Ａ、Ｂ、Ｃ、Ｄからカットａ、ｂ、ｄを選択し、ワイプによりこれらのカットの接続を指示した場合（図４（Ａ）及び（Ｂ））、これらカットａ、ｂ、ｄのイン点、対応するアウト点がシステム制御回路１５により取得される。さらにこれらカットａ、ｂ、ｄ間の接続部分で、遷移期間Ｔ、遷移開始位置等が取得され、これらの情報をオペレータが入力してプレビューを指示するまでの期間の間で、光ピックアップ３の制御により遷移期間Ｔの一方の符号化データが光ディスク１より再生されてメモリ２２に格納される（図４（Ｃ））。
【００８４】
その後オペレータがプレビューを指示すると、光ディスク装置２では、遷移期間Ｔの前後の符号化データが、遷移期間Ｔの他の符号化データと共に、順次オペレータの指定した時系列により再生されデータ伸長回路２４Ｂ、エフェクター８を介して出力される（図４（Ｄ））。
【００８５】
このとき遷移開始の時点ｔ１及びｔ２になると、光ディスク装置２では、メモリ２２に保持された一方の符号化データによるビデオデータがデータ伸長回路２４Ａを介してエフェクター８に供給され、エフェクター８により他方の符号化データによるビデオデータと合成される。これにより例えばワイプによる特殊効果が付与されたビデオ信号ＳＶが、ビデオプロセス回路２６より出力される（図４（Ｅ））。
【００８６】
これによりこの場合も何ら素材に変更を加えることなく、また編集結果を光ディスク１に記録することなく、２つのビデオ信号を合成する特殊効果による編集結果をプレビューすることができる。またメモリ２２の容量が許す範囲で、いわゆるマルチエフェクトによるプレビューをも実行することができる。
【００８７】
このようなプレビューの処理により、遷移期間、遷移モード等の変更が加えられると、光ディスク装置２では、これらの変更に対応して同様にメモリ２２に一方のビデオ信号による符号化データが先読みされて蓄積され、同様にしてプレビューの処理が実行される。
【００８８】
これに対して遷移モード、遷移期間が確定すると、先読みしてメモリ２２に保持した一方の符号化データと、プレビュー時の再生によりメモリ２２に一時格納した他方の符号化データとにより、遷移期間Ｔについて、エフェクター８によりプレビューと同様にビデオデータが合成され、この合成されたビデオデータがデータ圧縮回路７により符号化データＤＶに変換された後、記録時と同様の処理により光ディスク１に記録され、これによりこの遷移期間ＴのカットＸ１、Ｘ２が光ディスク１に記録される（図４（Ｆ））。
【００８９】
これによりこの場合も何ら素材に変更を加えることなく、また極めて短い時間でなる遷移期間Ｔの編集結果を光ディスク１に記録するだけで、２つのビデオ信号を合成する特殊効果による編集結果を得ることができる。
【００９０】
この一連の処理と同時並列的に、光ディスク装置２では、システム制御回路１５により、従来の編集作業による場合と同様の、オペレータの設定した遷移期間、遷移モードを記述してなる編集リスト３０が作成される。またこの特殊効果による遷移期間、遷移モードに対応付けて、光ディスク１に記録した遷移期間のカットＸ１、Ｘ２を指示する項目が編集リストに記述され、この記述については通常はオペレータにより不可視に設定される。また遷移期間のカットＸ１、Ｘ２が編集リストに対応する旨が記録された、カットＸ１、Ｘ２の管理用データが生成され、これら編集リスト、管理用データが光ディスク１に記録される。
【００９１】
これらによりこの光ディスク１では、従来の編集作業による編集リストと同様に編集の内容を確認することができる。また単にカット編集による場合と同様にして特殊効果による編集結果を再生することができる（図４（Ｇ））。
【００９２】
さらに例えばアニメーション等においては、同一の特殊効果により同一のカットを繋ぎ合わせる場合があることにより、光ディスク１に記録したカットＸ１、Ｘ２を他の編集作業で利用してプレビューの処理を実行し、またこの光ディスク１に既に記録されたカットＸ１、Ｘ２を繰り返し使用するように編集リスト３０を作成して、光ディスク１の情報記録面を有効に利用して、編集に要する時間を短縮することができる。
【００９３】
これに対してフェードイン、フェードアウト等の、ビデオ信号の信号レベルを徐々に変化させて、所定の遷移期間、所定のモードにより、ビデオ信号による映像を開始させる特殊効果、又はビデオ信号による映像を終了させる特殊効果をオペレータが選択した場合、光ディスク装置２は、カット編集の場合と同様に、連続するカットが光ディスク１より再生され、ビデオプロセス回路２６の設定によりオペレータの所望する効果が付与される。
【００９４】
さらにオペレータより遷移期間、遷移モードの確定が指示されると、システム制御回路１５により、オペレータの設定した遷移期間、遷移モードを記述してなる編集リスト３０が作成され、この編集リスト３０が光ディスク１に記録される。
【００９５】
これらによりこの光ディスク装置２では、この場合も何ら素材に変更を加えることなく、また編集結果を光ディスク１に記録することなく、所望の編集結果を得ることができ、これにより簡易な構成で、簡易に編集処理することができる。
【００９６】
（１−３）第１の実施の形態の効果
以上の構成によれば、２つのビデオ信号を合成する特殊効果について、遷移期間についてのみ、合成したビデオ信号を光ディスク１に記録することにより、何ら素材に変更を加えることなく、また合成したビデオ信号を光ディスク１に記録するだけで、所望の編集結果を得ることができる。これにより簡易な構成で、簡易に編集処理することができる。また素材を後日改めて編集等し得、これにより使い勝手を向上することができ、さらには同一の効果、シーンを繰り返す場合には、この光ディスクに記録した合成ビデオ信号によるカットを繰り返し使用して、その分編集に要する時間を短縮し、また光ディスク１の情報記録面を有効に利用することができる。
【００９７】
またこのとき高回転速度により光ディスク１を回転駆動して得られる符号化データを一時保持して連続したビデオ信号により出力するメモリ２２を利用して、合成対象の一方のビデオ信号による符号化データを先読みして保持し、光ディスク１より再生した他方のビデオ信号による符号化データをビデオデータに変換して合成することにより、簡易な構成で、短時間で編集結果をプレビューすることができ、また合成したビデオ信号を光ディスク１に記録することができる。またメモリ２２の容量によりマルチエフェクト効果をプレビューすることもできる。
【００９８】
またこの合成対象のビデオ信号と、合成ビデオ信号とを順次再生するように、編集リスト３０を作成したことにより、さらにこの編集リスト３０を光ディスク１に記録したことにより、単なるカット編集の場合と同様に、光ディスク１をアクセスしてレビューすることができ、その分編集結果をそっくり光ディスク１に記録しなくても、簡易な構成による光ディスク装置により編集結果を確認することができる。
【００９９】
またビデオ信号の信号レベルを徐々に変化させて、所定の遷移期間、所定のモードにより、ビデオ信号による映像を開始させる特殊効果、又はビデオ信号による映像を終了させる特殊効果については、編集リストに従ったビデオプロセス回路２６の制御により実行することにより、この場合も、何ら素材に変更を加えることなく、また合成したビデオ信号を光ディスク１に記録するだけで、所望の編集結果を得ることができ、これにより簡易な構成で、簡易に編集処理することができる。
【０１００】
（２）他の実施の形態
なお上述の実施の形態においては、ビデオ信号の信号レベルを徐々に変化させて、所定の遷移期間、所定のモードにより、ビデオ信号による映像を開始させる特殊効果、又はビデオ信号による映像を終了させる特殊効果については、編集リストに従ったビデオプロセス回路２６の制御により実行する場合について述べたが、本発明はこれに限らず、この場合も２つのビデオ信号を合成する場合と同様に、遷移期間の処理結果を光ディスク１に記録し、カット編集による場合と同様に再生できるようにしてもよい。このようにすればこの種のビデオプロセス回路を有していない光ディスク装置においても、簡易に、レビューすることができる。
【０１０１】
また上述の実施の形態においては、メモリ２２により先読みした符号化データを一時保持することにより、合成対象でなる１のビデオ信号を一時保持する場合について述べたが、本発明はこれに限らず、別途メモリ２２を配置して、又はこのメモリ２２の配置位置を変更して、チャンネルデコーディング回路２０より出力される再生データ、データ伸長回路の出力データ等を一時保持することにより、合成対象でなる１のビデオ信号を一時保持してもよい。
【０１０２】
さらに上述の実施の形態においては、合成対象でなる１のビデオ信号を一時保持して合成する場合について述べたが、本発明はこれに限らず、例えば２系統の光ピックアップを有する場合には、この２系統により合成に供する２つのビデオ信号をそれぞれ再生するようにしてもよい。
【０１０３】
また上述の実施の形態においては、編集リストを光ディスク１に記録する場合について述べたが、本発明はこれに限らず、編集リストについては、別途フロッピーディスクにより、又は伝送路を介した通信により例えばオンラインの光ディスク装置に供給してもよい。
【０１０４】
さらに上述の実施の形態においては、光ディスクの情報記録面を同心円状に小領域に分割して順次ビデオ信号及びオーディオ信号を記録する場合について述べたが、本発明はこれに限らず、例えば誤り訂正処理単位、データ圧縮単位により時分割多重化した符号化データ、オーディオデータをこの時分割多重化したデータストリームによりそのまま光ディスクに記録してもよい。
【０１０５】
また上述の実施の形態においては、１の光ピックアップにより記録再生する場合について述べたが、本発明はこれに限らず、複数の光ピックアップによりそれぞれオーディオ信号及びビデオ信号を記録し、又は再生するようにしてもよい。
【０１０６】
また上述の実施の形態においては、外周側よりビデオ信号及びオーディオ信号を順次循環的に記録する場合について述べたが、本発明はこれに限らず、十分なデータ転送速度を確保できる場合には、面ぶれ等が少なく安定してデータを再生することができる内周側より記録してもよく、またアドレス管理との関係で、一定領域を間に挟んで離散的に記録してもよい。
【０１０７】
さらに上述の実施の形態においては、最内周に管理用データを記録する場合について述べたが、本発明はこれに限らず、必要に応じて種々の領域に設定することができる。また同様に、編集リストについても、種々の領域に記録することができる。
【０１０８】
さらに上述の実施の形態においては、ＺＣＬＶの条件により光ディスクを駆動してディジタルビデオ信号等を記録し、角速度一定の条件により再生する場合について述べたが、本発明はこれに限らず、例えばディスク状記録媒体として光磁気ディスクを適用する場合であって、かつ十分な記録容量を確保できる場合には、記録再生の双方において角速度一定の条件により光ディスクを駆動してもよい。また相変化型の光ディスクを用いる場合でも、レーザー光量の制御により内周側と外周側とで相違する線速度によっても確実に所望のデータを記録できる場合、記録再生の双方において角速度一定の条件により光ディスクを駆動してもよい。
【０１０９】
また上述の実施の形態においては、ディジタルビデオ信号をＭＰＥＧによりデータ圧縮して光ディスクに記録する場合について述べたが、本発明はこれに限らず、種々の手法によりデータ圧縮して記録する場合にも広く適用することができる。
【０１１０】
さらに上述の実施の形態においては、両面に記録可能な相変化型の光ディスクにディジタルビデオ信号及びディジタルオーディオ信号を記録する場合について述べたが、本発明はこれに限らず、両面に記録可能な光磁気ディスク、ライトワンス型の光ディスクを使用してもよく、十分な記録容量を確保できる場合、片面だけを使用するようにしてもよい。
【０１１１】
【発明の効果】
上述のように本発明によれば、２つのビデオ信号を合成して、所定の遷移期間で、所定の遷移モードにより、一方のビデオ信号から他方のビデオ信号に遷移させる特殊効果については、遷移期間についてだけ合成したビデオ信号を光ディスクに記録することにより、何ら素材に変更を加えることなく、また合成したビデオ信号を光ディスク１に記録するだけで、所望の編集結果を得ることができ、これにより簡易な構成で、編集処理に要する時間を短縮することができる。
【図面の簡単な説明】
【図１】本発明の実施の形態に係る光ディスク装置を示すブロック図である。
【図２】図１の光ディスク装置に適用される光ディスクを示す平面図である。
【図３】図１の光ディスク装置によるカット編集の説明に供するタイムチャートである。
【図４】図１の光ディスク装置による特殊効果の編集の説明に供するタイムチャートである。
【符号の説明】
１……光ディスク、２……光ディスク装置、３……光ピックアップ、４……チャンネルコーディング、６、２６……ビデオプロセス回路、７……データ圧縮回路、８……エフェクター、９、２２……メモリ、１０、２３……メモリ制御回路、１３……ＥＣＣエンコーダ、１５……システム制御回路、１６……管理用データ、２０……チャンネルデコーディング、２１……ＥＣＣデコーダ、２４Ａ、２４Ｂ……データ伸長回路、３０……編集リスト
【図１】
0003786151.tif 000002
【図２】
0003786151.tif 000003
【図３】
0003786151.tif 000004
【図４】
0003786151.tif 000005